(57)【特許請求の範囲】
【請求項１】
１次成形材により成形された柄付きブラシの手で握るハンドル部が２次成形材充填用の空洞を隔てて軸方向に分割され、各分割片がこの空洞を通る１次成形材からなる中継部で連結され、かつ前記空洞に２次成形材が充填されてなる柄付きブラシであって、
前記中継部が平行に延びる複数の中継部材からなり、かつこれら中継部材の間隙がブリッジ部により連結されたことを特徴とする柄付きブラシ。
【請求項２】
前記空洞に充填された２次成形材の表面に１次成形材による図形が表示された柄付きブラシであって、
前記中継部から前記図形を表示する図形突起が２次成形後の表示面に達するように突設されたことを特徴とする請求項１に記載の柄付きブラシ。
【発明の詳細な説明】
【０００１】
【発明の属する技術分野】
本発明は、柄の部分がいわゆる２色成形法によって成形された柄付きブラシに関するものであり、２色成形に起因するハンドル部の反りや捻れ、また表示面に表示された図形の変形などが防止された柄付きブラシに関する。
【０００２】
【従来の技術】
最近の柄付きブラシ例えば歯ブラシは、手で握るハンドル部の屈伸性を制御したり、ハンドル部の軸面に鮮明で恒久的な図形（文字を含む）を表示する目的で、いわゆる２色成形法を用い、ハンドル部に形成された２次成形材充填用の空洞（以下単に「空洞」という）に柄本体とは色や柔軟性が異なる熱可塑性樹脂やエラストマーなどの２次成形材を充填したものが増えてきている。特に、この空洞をハンドル部の軸方向に長く形成し、この空洞に充填された２次成形材の面に１次成形材による文字列や絵柄などが表示されるように成形されたものが多い。
【０００３】
図２（ａ）（ｂ）（ｃ）に、文字列が表示されるように成形する２色成形法の概略を示す。図２（ａ）は、２色成形終了後の歯ブラシの柄部を複数の文字１…が表示された面（以下「表示面」という）から見た平面図であり、図２（ｂ）は１次成形材を用いた１次成形終了時の柄本体１００を表示面側から見た平面図であり、図２（ｃ）は図２（ｂ）の軸線Ｘで切った柄本体１００の断面図である。
図２（ａ）においてこの柄本体１００は、軸線Ｘに沿って、刷毛を植える植毛部１１と、屈伸するように成形された頸部１２と、使用者が手で握るハンドル部１１３とからなっている。このハンドル部１１３は主として１次成形材からなる柄本体１００によって成形されているが、ハンドル部１１３の中央部には、柄本体１００とは色・材質が異なる２次成形材による２色部１１４が軸線Ｘ方向に長く延びて形成され、この２色部の表示面に、１次成形材による文字１…が表示されている。
【０００４】
この歯ブラシの柄は以下の方法により製造される。
まず図示しない１次成形用鋳型と１次成形材とを用い、図２（ｂ）（ｃ）に示す構造の柄本体１００を成形する。この柄本体１００は、ハンドル部１１３が２次成形材充填用の空洞１１６によって軸線Ｘ方向に２分割され、各分割片１１３Ａ．１１３Ｂが、この空洞１１６を通る１次成形材からなる中継部１１５で連結されている。この中継部は普通、２次成形に際して２次成形材の流通を阻害しないように２本の平行に延びる中継部材１１５Ａ，１１５Ｂからなっている。またこの中継部１１５からは、文字１…を表示する図形突起１１７…が２次成形終了後の表示面に達するように突設されている。
次にこの柄本体１００を少なくとも空洞１１６を覆う２次成形用鋳型に装填し、この空洞１１６に２次成形材を射出注入する。
【０００５】
【発明が解決しようとする課題】
前記歯ブラシの柄において中継部１１５は、ハンドル部１１３より細い２本の中継部材１１５Ａ，１１５Ｂにより成形され、かつその片面（表示面側）には図形突起１７…が突設されているので、柄本体１００を１次成形鋳型から取出した状態で各部の収縮量に差が生じ、特に中継部１１５では表示面を内側にして弓なりに反ったり捻れたりする傾向がある。この状態で２次成形を行うと、中継部１１５の残留ひずみによって製品化された後のハンドル部１１３にも反りや捻れが生じる。
また、図形突起１１７…はそれぞれ形状や大きさが異なるため、その収縮差により中継部１１５が波打ち、図形突起１１７…の表面性が低下する。さらに、柄本体１００を２次成形用鋳型に装填し２次成形材を空洞に注入すると、その注入圧力によって中継部材１１５Ａ，１１５Ｂが湾曲し、前記の反りや捻れも加わって図形突起１１７…の表面と２次成形用鋳型の面との密着性が低下し、文字の位置がずれたりゆがんだり、文字の上に２次成形材がかぶって字形が変化しまたは不鮮明になるなどの不都合が生じる。また場合によっては２次成形材が分割片１１３Ａ、１１３Ｂの表面にまではみ出して商品性を著しく低下させる。
本発明は前記の課題を解決するためになされたものであって、従ってその目的は、２色成形法によって成形された柄付きブラシの柄における反りや捻れや図形の変形を防止した商品性の高い柄付きブラシを提供することにある。
【０００６】
【課題を解決するための手段】
前記の課題を解決するために本発明は、１次成形材により成形された柄付きブラシのハンドル部が２次成形材充填用の空洞を隔てて軸方向に分割され、各分割片がこの空洞を通る１次成形材からなる中継部で連結され、かつ前記空洞に２次成形材が充填されてなる柄付きブラシであって、前記中継部が平行に延びる複数の中継部材からなり、かつこれら中継部材の間隙がブリッジ部により連結されている柄付きブラシを提供する。
【０００７】
この柄付きブラシは、ハンドル部の分割片を連結する中継部が平行に延びる複数の中継部材からなり、これら中継部材の間が空いているので、２次成形に際して空洞を充填する２次成形材の流通が中継部によって妨げられることはない。しかも中継部材の間隙がブリッジ部により連結されているので、２次成形材の注入圧力によって中継部材が湾曲することもなく、製品化された後のハンドル部に反りや捻れが生じることはない。
【０００８】
前記空洞に充填された２次成形材の表面に１次成形材による図形が表示された柄付きブラシにあっては、前記中継部から前記図形を表示する図形突起が２次成形後の表示面に達するように突設されていることが好ましい。
この場合、図形突起が複数の中継部材を跨ぐように形成すればこの図形突起もブリッジ部と同様の効果を現し、ブリッジ部と図形突起が共に中継部の応力変形に抵抗し、反り、捻れ、図形の変形を防止して商品性の高い柄付きブラシが得られる。
【０００９】
本発明の柄付きブラシは、２次成形材が充填される空洞の軸方向両側にそれぞれ、中継部から突出して軸方向に延びるサイドリブが設けられていてもよい。この場合は、反り、捻れ、図形の変形に対する抵抗性がさらに強化される。
【００１０】
【発明の実施の形態】
以下、本発明の一実施形態である歯ブラシハンドルについて図面を用いて詳しく説明するが、本発明はこの実施形態により何らの制限も受けるものではない。
図１（ａ）は、この実施形態の歯ブラシハンドルを、複数の文字１…が表示された表示面の側から見た平面図であり、図１（ｂ）は、１次成形材により成形された同じ歯ブラシハンドルの柄本体１０を表示面の側から見た平面図であり、図１（ｃ）は、図１（ｂ）の線Ｙ−Ｙで切った断面図である。
図１（ａ）においてこの実施形態の歯ブラシハンドルは、軸線Ｘに沿って刷毛を植える植毛部１１と、屈伸するように成形された頸部１２と、使用者が手で握るハンドル部１３とからなっている。この歯ブラシハンドルは、主として１次成形材（ポリプロピレン）からなる柄本体１０によって形成されているが、ハンドル部１３の中央部には、柄本体１０とは色・材質が異なる２次成形材（ポリオレフィン系エラストマー）による２色部１４が軸線Ｘ方向に長く延びて形成され、この２色部１４の表示面には、１次成形材による文字１…が表示されている。
【００１１】
この実施形態の歯ブラシハンドルは、図１（ｂ）（ｃ）に示すように、１次成形材により成形された歯ブラシハンドルの柄本体１０が２次成形材充填用の空洞１６を隔てて軸線Ｘ方向に２分割され、各分割片１３Ａ，１３Ｂはこの空洞を通る１次成形材からなる中継部１５によって連結されている。この中継部１５は、平行に延びる２本の中継部材１５Ａ，１５Ｂからなり、かつこれら中継部材１５Ａ，１５Ｂの間隙は数カ所でブリッジ部２１…により連結されている。またそれぞれの中継部材１５Ａ，１５Ｂには、２次成形材が充填される空洞の相対する側部に向けて突出して軸方向に延びるサイドリブ２０が設けられている。
さらに中継部材１５Ａ，１５Ｂを跨いで、２次成形終了後の表示面に文字１…を表示する図形突起１７…が柄本体１０と一体に成形されている。
【００１２】
この歯ブラシハンドルは以下の方法で製造することができる。
まず１次成形鋳型と１次成形材とを用いて柄本体１０を成形する。この柄本体１０は、ハンドル部１３が２次成形材充填用の空洞１６によって軸線Ｘ方向に２分割され、各分割片１３Ａ，１３Ｂが、この空洞１６を通る１次成形材からなる２本の中継部材１５Ａ，１５Ｂで連結され、この中継部材１５Ａ，１５Ｂは数カ所でブリッジ部２１…により連結され、またそれぞれの中継部材１５Ａ，１５Ｂにはそれぞれ側部に向けて突出して軸方向に延びるサイドリブ２０が設けられると共に、中継部材１５Ａ，１５Ｂを跨いで、２次成形終了後の表示面に文字１…を表示する図形突起１７…が柄本体１０と一体に成形されている。
次にこの柄本体１０を少なくとも空洞１６を覆う２次成形用鋳型に装填し、この空洞１６に２次成形材を射出注入する。
【００１３】
得られた歯ブラシハンドルは、１次成形の段階で柄本体１０に反りや捻れがなく、２次成形材の注入圧力によっても変形しないので、２次成形後にも変形が認められず、また表示面の文字にも変形やかぶりが認められない。
【００１４】
【発明の効果】
本発明の柄付きブラシは、中継部が平行に延びる複数の中継部材からなり、かつこれら中継部材の間隙がブリッジ部により連結されているので、ハンドル部に反りや捻れや図形の変形が認められず、商品性が高い。
【図面の簡単な説明】
【図１】  本発明の一実施形態を示す、（ａ）は表示面側から見た平面図、（ｂ）は前記実施形態における柄本体を表示面の側から見た平面図、（ｃ）は図１（ｂ）の線Ｙ−Ｙで切った断面図である。
【図２】  （ａ）は従来の柄付きブラシの柄部の一例を示す表示面側から見た平面図、（ｂ）はその柄本体の平面図、（ｃ）はその線Ｘ−Ｘで切った断面図である。
【符号の説明】
１：文字
１０：柄本体
１１：植毛部
１２：頸部
１３：ハンドル部    １３Ａ，１３Ｂ：分割片
１４：２色部
１５：中継部  １５Ａ，１５Ｂ：中継部材
１６：空洞
１７：図形突起
２０：サイドリブ
２１：ブリッジ部
【図１】
0003880761.tif 000002
【図２】
0003880761.tif 000003